(57)【特許請求の範囲】
【請求項１】
支持脚の上面中央に立設される円筒状の軸受けと、上記円筒状の軸受けの上部に回転自在に嵌められる垂直支柱と、上記垂直支柱の上端に固定される座部；
上記円筒状の軸受けの外周面の下端に回転自在に結合する回転筒；
上記回転筒に固定端部が嵌合固定され、上記固定端部から一側に延長する弾性材質の支持部材；
上記支持部材の自由端部に嵌められ、上記支持部材に沿って上下に摺動可能な足載せ部材；及び
上記回転筒の上端に設置され、上記垂直支柱の回転をストップさせるストッパ部材；を含み、
上記回転筒には、上記垂直支柱が嵌められる回転孔及び上記支持部材の上記固定端部が嵌められる固定孔が縦方向に貫通形成されている足載せ部を備えた椅子において、
上記回転筒の外周面の一側には第１嵌合孔が形成され、上記第１嵌合孔は上記固定孔と上記回転孔に連通し、上記支持部材の上記固定端部が上記固定孔に嵌められ上記回転孔に上記垂直支柱が嵌められた状態で、上記第１嵌合孔に第１孔を有する第１固定ピン及び上記第１孔に挿入される第１ボルト部を有する第１固定ノブが挿入されることにより、上記支持部材が上記回転筒に固定結合されることを特徴とする足載せ部を備えた椅子。
【請求項２】
上記支持部材は上記固定端部と上記自由端部との間に連結部、水平部及び案内部を備えており、上記連結部は上記固定端部の端から上方に一定長さだけ斜めに延長し、上記水平部は上記連結部の端から水平に一定長さだけ延長し、上記案内部は上記水平部の端から下方に一定長さだけ斜めに延長していることを特徴とする請求項１に記載の足載せ部を備えた椅子。
【請求項３】
上記足載せ部材は、上面及び下面にそれぞれ突出部が一体に対向設置され、上記突出部の長手方向に沿って案内孔が貫通形成され、上記案内孔と垂直に交差するよう一側に第２嵌合孔が貫通形成された足載せ部を備えており、上記足載せ部は、上記案内孔に上記支持部材の上記自由端部が嵌められた状態で、上記第２嵌合孔に第２孔を有する第２固定ピン及び上記第２孔に挿入される第２ボルト部を有する第２固定ノブが挿入されることにより、上記支持部材の上記案内部に沿って摺動可能に結合されることを特徴とする請求項２に記載の足載せ部を備えた椅子。
【請求項４】
上記ストッパ部材は、
円筒状胴体の一側から一定の長さだけ突出形成された第１突出端を備え、上記第１突出端には第１ネジ孔が形成され、上記垂直支柱に嵌められて上記円筒状の軸受けの上端に嵌合される固定キャップ；
上記固定キャップが上記垂直支柱に嵌められた後、上記固定キャップを貫通して露出される上記垂直支柱に嵌合され、相互対向するように離隔形成された一対の端部を備え、上記端部とは反対の方向に突出形成された第２突出端を備え、上記第２突出端には第２ネジ孔が形成され、上記端部のうち第１端には第３嵌合孔が形成されるブラケット；
一側先端に第３ボルト部が形成された第３固定ノブ；及び
上記第３固定ノブの上記第３ボルト部が上記第３嵌合孔に挿入される時、上記ブラケットの上記第１端の外面に対して上記第３固定ノブを一定距離だけ離隔させるための離隔ピン；を備えており、
上記垂直支柱に上記固定キャップと上記ブラケットとが順次結合した状態で、上記固定キャップの上記第１ネジ孔と上記ブラケットの上記第２ネジ孔には固定ネジが貫通し、上記ブラケットを貫通して突出した上記固定ネジの自由端部には固定ナットが螺合して上記固定キャップと上記ブラケットとが堅固に結合され、上記第３固定ノブの上記第３ボルト部に上記離隔ピンが嵌められた後、上記第３ボルト部は上記第３嵌合孔に挿入され、上記端部のうち第２端を貫通して露出された上記第３ボルト部には上記第２端の内側に配置された第３ナットが螺合し、上記第３固定ノブを回転させることにより上記第３ボルト部が上記第３ナットから出没して上記各端部間の離隔距離が調節され、これにより上記回転筒に対する上記垂直支柱の回転運動が制御されることを特徴とする請求項１に記載の足載せ部を備えた椅子。
【発明の詳細な説明】
【０００１】
【発明の属する技術分野】
本発明は椅子に関し、特に、足載せ部の高さを着座者の多様な身体サイズに合うように自由に調節することができ、しかも椅子に着座している間に椅子が倒れることを防止し得る足載せ部を備えた椅子に関する。
【０００２】
【従来の技術】
一般に椅子は平均的な身体条件に合わせて均一な寸法で作製されるが、ワンセットとして使用される机又はテーブルの高さに応じて座部の高さが調節されるように高さ調節装置を備えたものもある。
【０００３】
かかる高さ調節装置によれば、椅子の座部と机又はテーブルとの間隔を一定に調節し得るという利点がある反面、着座者の足が床面に届かなくなって不安定な着座姿勢をもたらす場合があった。
【０００４】
上記問題を解決するための一発明として、ハンドリック・アール・バン・ヘッケン（Hendrik R.van Hekken）等に許与されたアメリカ特許第５、０１１、２２７号（1991.4.30.；「調整可能な足載せ部を備えた椅子」）がある。該発明の概略的な内容を図１０を参照しながら説明すれば、次の通りである。
【０００５】
同図に示すように、椅子１００は垂直支柱１０２の上端に座部１０４が結合されて成る。座部１０４の下側には足載せ部材が設置される。足載せ部材はハウジング１１０、水平フレーム１１２、足載せ部１１４、及び操作ハンドル１１６を含む。ハウジング１１０は座部１０４の下面から下向きに突出している。水平フレーム１１２はハウジング１１０の下端に回動自在に軸結合されている。足載せ部１１４は水平フレーム１１２の前方端部に結合される。操作ハンドル１１６はハウジング１１０の上端部に設置されて足載せ部１１４の高さを調節するようになっている。ハウジング１１０の内部にはシリンダー、ピストン、駆動ピンなど（図示せず）が設置されて水平フレーム１１２の回動角度が調節可能となっている。
【０００６】
従って、椅子１００の着座者は自分の身体条件と合うように足載せ部１１４の高さを調節することができる。しかしながら、このような構成では、着座者が操作ハンドル１１６を“Ａ”又は“Ｂ”方向に引っ張れば、水平フレーム１１２がハウジング１１０の下端の結合部位を中心として回動して足載せ部１１４の位置を上方又は下方に変更するようになっているため、多様な体形の使用者をそれぞれ楽な姿勢で受容することはできなかった。
【０００７】
また、従来の足載せ部１１４は地面に接触せず、空中に浮かんでいる状態である。従って、使用者が着座した状態で足載せ部１１４に足を載せて足載せ部１１４に荷重が集中した場合には、椅子１００と着座者が一緒に倒れて事故を起こす恐れがあった。これは、背の低い幼児や子供の場合にはより深刻な問題となる。
【０００８】
さらに、足載せ部１１４の高さを調節するための装置には、操作ハンドル、ピストン、シリンダー、駆動ピン等、多数の構成部品が要求されることも問題であった。
【０００９】
【発明が解決しようとする課題】
本発明は上記のような問題点に鑑みてなされたものであり、本発明の目的は、椅子に設置された足載せ部の高さ調節を容易に行うことができ、また、足載せ部に荷重がかかっても椅子の倒れが防止されるようにした足載せ部を備えた椅子を提供することにある。
【００１０】
【課題を解決するための手段】
上記の目的を達成するための本発明の足載せ部を備えた椅子は、支持脚の上面中央に立設される円筒状の軸受けと、上記円筒状の軸受けの上部に回転自在に嵌められる垂直支柱と、上記垂直支柱の上端に固定される座部；上記円筒状の軸受けの外周面の下端に回転自在に結合する回転筒；上記回転筒に固定端部が嵌合固定され、上記固定端部から一側に延長する弾性材質の支持部材；上記支持部材の自由端部に嵌められ、上記支持部材に沿って上下に摺動可能な足載せ部材；及び上記回転筒の上端に設置され、上記垂直支柱の回転をストップさせるストッパ部材；を含み、上記回転筒には、上記垂直支柱が嵌められる回転孔及び上記支持部材の上記固定端部が嵌められる固定孔が縦方向に貫通形成されている足載せ部を備えた椅子において、上記回転筒の外周面の一側には第１嵌合孔が形成され、上記第１嵌合孔は上記固定孔と上記回転孔に連通し、上記支持部材の上記固定端部が上記固定孔に嵌められ上記回転孔に上記垂直支柱が嵌められた状態で、上記第１嵌合孔に第１孔を有する第１固定ピン及び上記第１孔に挿入される第１ボルト部を有する第１固定ノブが挿入されることにより、上記支持部材が上記回転筒に固定結合されることを特徴とする。
【００１１】
上記支持部材は上記固定端部と上記自由端部との間に連結部、水平部及び案内部を備えており、上記連結部は上記固定端部の端から上方に一定長さだけ斜めに延長し、上記水平部は上記連結部の端から水平に一定長さだけ延長し、上記案内部は上記水平部の端から下方に一定長さだけ斜めに延長していることが望ましい。
【００１２】
上記足載せ部材は、上面及び下面にそれぞれ突出部が一体に対向設置され、上記突出部の長手方向に沿って案内孔が貫通形成され、上記案内孔と垂直に交差するよう一側に第２嵌合孔が貫通形成された足載せ部を備えており、上記足載せ部は、上記案内孔に上記支持部材の上記自由端部が嵌められた状態で、上記第２嵌合孔に第２孔を有する第２固定ピン及び上記第２孔に挿入される第２ボルト部を有する第２固定ノブが挿入されることにより、上記支持部材の上記案内部に沿って摺動可能に結合されることが望ましい。
【００１３】
上記ストッパ部材は、円筒状胴体の一側から一定の長さだけ突出形成された第１突出端を備え、上記第１突出端には第１ネジ孔が形成され、上記垂直支柱に嵌められて上記円筒状軸受けの上端に嵌合される固定キャップ；上記固定キャップが上記垂直支柱に嵌められた後、上記固定キャップを貫通して露出される上記垂直支柱に嵌合され、相互対向するように離隔形成された一対の端部を備え、上記端部とは反対の方向に突出形成された第２突出端を備え、上記第２突出端には第２ネジ孔が形成され、上記端部のうち第１端には第３嵌合孔が形成されるブラケット；一側先端に第３ボルト部が形成された第３固定ノブ；及び上記第３固定ノブの上記第３ボルト部が上記第３嵌合孔に挿入される時、上記ブラケットの上記第１端の外面に対して上記第３固定ノブを一定距離だけ離隔させるための離隔ピン；を備えており、上記垂直支柱に上記固定キャップと上記ブラケットとが順次結合した状態で、上記固定キャップの上記第１ネジ孔と上記ブラケットの上記第２ネジ孔には固定ネジが貫通し、上記ブラケットを貫通して突出した上記固定ネジの自由端部には固定ナットが螺合して上記固定キャップと上記ブラケットとが堅固に結合され、上記第３固定ノブの上記第３ボルト部に上記離隔ピンが嵌められた後、上記第３ボルト部は上記第３嵌合孔に挿入され、上記端部のうち第２端を貫通して露出された上記第３ボルト部には上記第２端の内側に配置された第３ナットが螺合し、上記第３固定ノブを回転させることにより上記第３ボルト部が上記第３ナットから出没して上記各端部間の離隔距離が調節され、これにより上記回転筒に対する上記垂直支柱の回転運動が制御されることが望ましい。
【００１４】
【発明の実施の形態】
以下、添付図面を参照しながら、本発明の構成をより詳しく説明する。
【００１５】
図１は本発明の実施例による足載せ部を備えた椅子を示した斜視図、図２はその側面図、図３は本発明の実施例における調節可能な足載せ部材を示した分解斜視図、図４は図３の足載せ部材の結合状態を示した側断面図、図５は図１のＡ−Ａ線に沿った断面図、図６は図１のＢ−Ｂ線に沿った断面図、図７は本発明の実施例によるストッパ部材の分解斜視図、図８は図７の結合状態で一部を切欠した側面図、図９は図７の結合状態で一部を切欠した平面図である。
【００１６】
図示のように、図面符号“２００”は本発明の実施例による椅子である。椅子２００は支持脚２０６の上面中央に立設される円筒状の軸受け２０１と、円筒状の軸受け２０１の上端に回転自在に嵌められる垂直支柱２０２と、垂直支柱２０２の上端に設置される座部２０４とからなる。
【００１７】
図１及び２を参照すれば、本発明の椅子２００には回転筒２１０、支持部材２２０及び足載せ部材が含まれる。
【００１８】
図３乃至図６を参照すれば、回転筒２１０は円筒状の軸受け２０１の外周面の下端に両方向への回転が可能に結合される。回転筒２１０は回転孔２１２及び固定孔２１２Ａを有する。回転孔２１２は円筒状の軸受け２０１の外周面に嵌められるように回転筒２１０の長手方向に形成される。固定孔２１２Ａは支持部材２２０の一端が嵌合固定されるように回転孔２１２と並列に隣接して形成される。回転筒２１０には外周面の一側から固定孔２１２Ａ及び回転孔２１２を順に貫通し先端に第１ナット２１４が嵌められた第１嵌合孔２１２Ｂが形成され、第１嵌合孔２１２Ｂには内部に第１孔２１６Ａが貫通する第１固定ピン２１６と、第１固定ピン２１６の第１孔２１６Ａに嵌められて第１ナット２１４に螺合するように先端に第１ボルト部２１８Ａを有する第１固定ノブ２１８をそれぞれ設置する。
【００１９】
支持部材２２０は回転筒２１０に一端が固定され、他端は支持脚２０６に向かって傾斜状に形成される。支持部材２２０は弾性材質からなる。支持部材２２０は固定部２２２、連結部２２４、水平部２２６、及び案内部２２８を含む。固定部２２２は回転筒２１０の固定孔２１２Ａに嵌められるように垂直支柱２０２と平行に形成される。連結部２２４は固定部２２２から傾斜状に上向きに延長する。水平部２２６は連結部２２４から延長して座部２０４の下部に近接して位置する。案内部２２８は水平部２２６から下向きに傾斜状に延長して足載せ部材の移動経路となる。支持部材２２０は、水平部２２６を基準として両側の固定部２２２と案内部２２８が支持脚２０６の方向に対して“逆Ｖ字”の形状となるように折曲形成される。案内部２２８の下端は地面と近接した位置に到達するようにする。
【００２０】
足載せ部材は支持部材２２０の他端に摺動自在に結合されて支持脚２０６と座部２０４との間で移動する。足載せ部材は、足載せ部２３０、第２固定ピン２３６、及び第２固定ノブ２３８を含む。足載せ部２３０にはその上面と下面に突出部２３２が一体に対向設置され、突出部２３２の長手方向に沿って案内孔２３２Ａが穿孔され、案内孔２３２Ａと交差するように一側に第２嵌合孔２３２Ｂが穿孔され、第２嵌合孔２３２Ｂの後端には第２ナット２３４が設置される。第２固定ピン２３６は案内孔２３２Ａに嵌められ支持部材２２０の案内部２２８を押圧固定し、その内部には第２孔２３６Ａが穿孔されている。第２固定ノブ２３８には、第２固定ピン２３６の第２孔２３６Ａを貫通し案内孔２３２Ａに嵌められて第２ナット２３４に螺合するように第２ボルト部２３８Ａが突出形成される。
【００２１】
図７乃至図９を参照すれば、ストッパ部材は固定キャップ２４０、ブラケット２５０、及び第３固定ノブ２６４を含む。固定キャップ２４０は垂直支柱２０２に嵌められて円筒状の軸受け２０１の上端と結合する。垂直支柱２０２にはブラケット２５０を嵌めて固定キャップ２４０と接触させる。
【００２２】
固定キャップ２４０は円筒状胴体の一側から一定の長さだけ突出形成された第１突出端２４１を有している。第１突出端には第１ネジ孔２４０Ａが形成されている。ブラケット２５０は、相互離隔して対向するように折曲形成されている一端部２５２及び他端部２５６、一端部２５２及び他端部２５６とは反対の方向に突出形成された第２突出端２５１とを有している。第２突出端２５１には、第２ネジ孔２５０Ａが形成されている。第１突出端２４１の第１ネジ孔２４１Ａと第２突出端２５１の第２ネジ孔２５１Ａとには、固定ネジ２４４を順に貫通させる。第１ネジ孔２４１Ａを貫通した固定ネジ２４４の先端は固定ナット２４２と螺合することで、ブラケット２５０が固定キャップ２４０に固定される。
【００２３】
ブラケット２５０の一端部２５２と他端部２５６とは相互離隔して対向するように折曲形成される。一端部２５２には第３ナット２５４がインサート射出されており、他端部２５６には第３嵌合孔２５８が穿孔されている。第３固定ノブ２６４はブラケット２５０の第３嵌合孔２５８に嵌められ、第３ナット２５４に先端の第３ボルト部２６６が螺合することで垂直支柱２０２の回転をストップさせる。第３ボルト部２６６には孔２６２の穿孔された離隔ピン２６０を嵌めることもできる。
【００２４】
以下、図１乃至図９を参照しながら本発明の足載せ部を備えた椅子の組立及び使用状態を説明する。
【００２５】
まず、図１乃至図３を参照して組立状態を説明すれば、次の通りである。
【００２６】
垂直支柱２０２には回転孔２１２を通して回転筒２１０が嵌められる。回転筒２１０の固定孔２１２Ａには支持部材２２０の固定部２２２が嵌められる。回転筒２１０の第１嵌合孔２１２Ｂには第１固定ピン２１６を嵌めてその先端を固定孔２１２Ａ内の固定部２２２に接触させる。次いで、第１固定ピン２１６の第１孔２１６Ａには第１固定ノブ２１８の第１ボルト部２１８Ａを貫通させる。第１ボルト部２１８Ａの先端は第１嵌合孔２１２Ｂの後方に埋設された第１ナット２１４に螺合させるが、上記螺合時において第１固定ノブ２１８の回転作業は第１固定ノブ２１８がそれ以上回転しないときまで続ける。この時、第１固定ピン２１６は支持部材２２０を堅固に押圧して離脱しないようにしている（図５参照）。
【００２７】
支持部材２２０には水平部２２６から折曲して延長する連結部２２４が形成される。水平部２２６は座部２０４の下面と接触しないようになっている。支持部材２２０の案内部２２８はその先端が地面に近接した位置まで折曲形成される。これは、足載せ部２３０に上方向からの荷重が加わった場合は、いつも案内部２２８を地面と当接状態とするためである。
【００２８】
支持部材２２０の案内部２２８には足載せ部材が嵌められてガイドされる。その具体的な説明は図３及び図４に示すように、足載せ部２３０の突出部２３２に形成された案内孔２３２Ａには支持部材２２０の案内部２２８が嵌められて摺動する。また、足載せ部２３０の第２嵌合孔２３２Ｂには第２固定ピン２３６を嵌め、その先端が支持部材２２０に接触し得るようにする。第２固定ピン２３６の第２孔２３６Ａには第２固定ノブ２３８の第２ボルト部２３８Ａを嵌める。第２ボルト部２３８Ａの先端は第２嵌合孔２３２Ｂに埋設された第２ナット２３４に螺合される。この過程で、第２固定ノブ２３８がそれ以上回転しないことは、第２固定ピン２３６が支持部材２２０の案内部２２８を押圧して固定させた状態となったことを意味する（図６参照）。
【００２９】
着座者は自分の体形に合うように足載せ部２３０の位置を調節することにより、使用状態を変更することができる。これのために、着座者は第２固定ノブ２３８を上記とは反対の方向に回転させて第２固定ピン２３６の押圧状態を緩めた後、支持部材２２０の案内部２２８における所望の位置に足載せ部２３０を移動させる。しかる後、第２固定ノブ２３８を一方向に回転させれば、第２固定ピン２３６が支持部材２２０の案内部２２８を押圧固定させる。
【００３０】
この状態で、着座者が椅子２００の座部２０４に着座して足載せ部２３０に自分の足を載置すれば、足載せ部２３０には着座者の足の荷重が伝達されて案内部２２８の下端が地面と当接する。即ち、支持部材２２０は着座者が足を足載せ部２３０に載置していない時には地面から離隔状態となり、着座者が足を足載せ部２３０に載置すれば地面と当接状態となる。
【００３１】
一方、足載せ部２３０を使用しない場合には、着座者は支持部材２２０を椅子の前方ではない他の方向に回転させればよい。この時、回転中心は回転筒２１０の嵌められた垂直支柱２０１となる。換言すれば、回転筒２１０は支持部材２２０の外周面に沿って回転するのである。
【００３２】
また、足載せ部２３０を使用しない場合には、支持部材２２０と足載せ部２３０を回転筒２１０から完全に分離することもできる。即ち、着座者は第１固定ノブ２１８を回転させることで、固定部２２２を押圧していた第１固定ピン２１６の押圧状態を解除した後、支持部材２２０の固定部２２２を回転筒２１０の固定孔２１２Ａから取り出して他の場所に保管すればよい。
【００３３】
他方、足載せ部２３０の高さ調節が完了した場合、着座者は第３固定ノブ２６４を回転させることにより、その先端の第３ボルト部２６６がブラケット２５０の他端２５８の第３嵌合孔２５８を貫通した後、一端部２５２にインサート射出された第３ナット２５４に螺合するようにする。この時、第３固定ノブ２６４を継続的に回転させると、ブラケット２５０が垂直支柱２０２の外周面に密着することになって、垂直支柱２０２が円筒状の軸受け２０１に対して回転しないように固定される。特に、第３ボルト部２６６には離隔ピン２６０を嵌めて第３固定ノブ２６４がブラケット２５０の他端部２５６と直接接触しないようにする。
【００３４】
【発明の効果】
以上説明したように、本発明の足載せ部を備えた椅子によれば、椅子に備えられた足載せ部の高さを簡単な操作により自由に調節することができる。
【００３５】
また、着座者が着座しているときには足載せ部の設置された支持部材の下端が常に地面に接触するため、着座中に椅子が倒れて事故を起こす恐れを最小限にすることができる。
【００３６】
また、ストッパ部材によって垂直支柱が円筒状軸受けに嵌合されたまま回転しないように固定して椅子の回転を抑制することで事故を予防することができる。
【００３７】
以上、本発明を具体的な実施例に基づいて説明したが、本発明はこれに限定されるものではなく、当業者の通常の知識の範囲内でその変形や改良が可能であるのは勿論である。
【図面の簡単な説明】
【図１】本発明の実施例による足載せ部を備えた椅子を示した斜視図である。
【図２】図１の椅子を示した側面図である。
【図３】本発明の実施例における調節可能な足載せ部材を示した分解斜視図である。
【図４】図３の足載せ部材の結合状態を示した側断面図である。
【図５】図１のＡ−Ａ線に沿った断面図である。
【図６】図１のＢ−Ｂ線に沿った断面図である
【図７】本発明の実施例によるストッパ部材の分解斜視図である。
【図８】図７の結合状態で一部を切欠した側面図である。
【図９】図７の結合状態で一部を切欠した平面図である。
【図１０】従来技術における足載せ部材の設置状態を示した斜視図である。
【符号の説明】
２００    椅子
２０１ 軸受け
２０２    垂直支柱
２０４    座部
２０６    支持脚
２１０    回転筒
２１２    回転孔
２１２Ａ    固定孔
２１２Ｂ    第１嵌合孔
２１４    第１ナット
２１６    第１固定ピン
２１６Ａ    第１孔
２１８    第１固定ノブ
２１８Ａ    第１ボルト部
２２０    支持部材
２２２    固定部
２２４    連結部
２２６    水平部
２２８    案内部
２３０    足載せ部
２３２    突出部
２３２Ａ    案内孔
２３２Ｂ    第２嵌合孔
２３４    第２ナット
２３６    第２固定ピン
２３６Ａ    第２孔
２３８    第２固定ノブ
２３８Ａ    第２ボルト部
２４０ 固定キャップ
２４０Ａ 第１ネジ孔
２４１ 第１突出端
２５０ ブラケット
２５０Ａ 第１ネジ孔
２５１ 第２突出端
２５２ 一端部
２５４ 第３ナット
２５６ 他端部
２５８ 第３嵌合孔
２６４ 第３固定ノブ
２６６ 第３ボルト部
【図１】
0003579892.tif 000002
【図２】
0003579892.tif 000003
【図３】
0003579892.tif 000004
【図４】
0003579892.tif 000005
【図５】
0003579892.tif 000006
【図６】
0003579892.tif 000007
【図７】
0003579892.tif 000008
【図８】
0003579892.tif 000009
【図９】
0003579892.tif 000010
【図１０】
0003579892.tif 000011